(57)【要約】【課題】フィルタ等の露光量制御手段を配置した収容室内への防塵に優れ且つ該露光量制御手段の駆動用モータの収容室外での取付構成が低コストになるカメラ用の露光量制御装置を提供すること。【解決手段】合成樹脂製の主地板１と補助地板２の間に構成されている収容室に、光量制御用のＮＤフィルタを取り付けたフィルタ取付部材４が配置されている。主地板１には可撓性を有するフック部１ｇ，１ｈによってモータ６が取り付けられ、回転子と一体の腕部６ｆの先端に設けられた駆動ピン６ｇは、主地板１に設けられた円弧状の長孔１ｂを貫通し、収容室内でフィルタ取付部材４に連結されている。そして、主地板１に取り付けられているサポート部材７は、長孔１ｂから収容室内に塵埃が入るのを防止すると共に、抑止部７ａによってフック部１ｈがモータ６の被係止部６ｋから外れないようにしている。【選択図】　図２
2004093874.tif 000002
【特許請求の範囲】
【請求項１】
両者の間に収容室を構成しており重ねて配置された各々の開口部の少なくとも一方によって撮影光路を規制している二つの地板と、前記収容室内において前記撮影光路に進退可能に配置されている露光量制御手段と、前記収容室外に配置されており回転子と一体であって固定子に設けられた長孔から該回転子の径方向に延伸した腕部がその先端に設けた駆動ピンを前記二つの地板の一方に設けられた長孔から前記収容室内に挿入し前記露光量制御手段を駆動するモータと、前記収容室外において前記二つの地板の一方に対し前記回転子の回転軸を垂直にして前記モータを取り付ける取付手段と、前記二つの地板のいずれか一方に取り付けられており前記固定子外での前記腕部の作動領域を覆うと共に前記取付手段による前記モータの取付状態を補助的に維持させるサポート手段と、を備えていることを特徴とするカメラ用露光量制御装置。
【請求項２】
前記モータが、被係止部を有しており、前記取付手段が、前記モータを取り付ける地板に設けられていて前記被係止部を係止する少なくとも一つの可撓性を有するフック部であり、前記サポート手段が、前記フック部が前記係止を外す方向へ撓むのを抑止する部材であることを特徴とする請求項１に記載のカメラ用露光量制御装置。
【請求項３】
前記モータが、前記回転子の径方向に一つの孔を有しており、前記取付手段が、前記孔に挿入して前記モータを前記地板の一方に螺止するねじであり、前記サポート手段が、前記回転子を間にして少なくとも前記螺止位置の反対側で前記モータが前記モータを取り付けている地板から浮き上がるのを抑止する部材であることを特徴とする請求項１に記載のカメラ用露光量制御装置。
【発明の詳細な説明】
【０００１】
【発明の属する技術分野】
本発明は、固体撮像素子の撮像面やフィルムの感光面の露光量を制御するために、絞り羽根，シャッタ羽根，フィルタなどをモータで作動させるようにしたカメラ用露光量制御装置に関する。
【０００２】
【従来の技術】
露光量を制御するためにカメラに設けられる絞り羽根，シャッタ羽根，フィルタなどの露光量制御手段は、最近では、モータで駆動されるのが普通になっている。その場合、露光量制御手段は、二つの地板の間に構成された収容室内に配置されていて、モータは、収容室外においてそれらの地板の一方に取り付けられている。そして、収容室内は、露光量制御手段を配置するだけの薄いスペースに構成することが要求されている。そのため、従来は、露光量制御手段とモータとを連結するために、モータを取り付けている方の地板に長孔を形成している。
【０００３】
また、モータを地板に取り付ける場合は、回転子の回転軸が地板に対して垂直となるように取り付けるのが普通であり、かつては、回転子を間にして両側に張り出した二つの部位を各々ビスによって螺止していた。しかしながら、最近では地板を合成樹脂で製作するようになってきたため、地板に、モータを係止するための一つ又は複数のフック部を同時一体成形で形成し、上記のビスの一方を削減するようにしている。
【０００４】
【発明が解決しようとする課題】
ところで、上記の収容室を構成している二つの地板には各々被写体光路用の開口部が形成されており、それらを重ねるように配置して、少なくとも一方の開口部が撮影光路を規制するようにしている。そして、それらの開口部の少なくとも一方は、その外側周面にレンズ鏡胴が密着して配置され、レンズによって塞がれた状態に構成される。そのため、上記のように、モータを取り付けている地板に長孔を形成したままでは、そこから収容室内に塵埃が進入し、露光量制御手段のスムースな作動の妨げになったり、上記のレンズの内面に付着したり、また、露光量制御手段がフィルタの場合には、その表面に付着してしまったりする不都合があった。また、収容室内に配置されている露光制御手段と、収容室外にあるモータの回転子とを連結するための構成手段が、収容室外に露出した状態になっていると、生産中や運搬中に、指や他製品などの外部要因によって該構成手段が変形され、所定の機能が得られなくなってしまう虞もある。
【０００５】
他方、モータを地板に取り付けるに際しては、ビスを全く用いず、地板に形成した複数のフック部のみで行なえれば、コスト上は非常に有利となる。しかしながら、フック部には可撓性が必要であるため、運搬上，取扱上，使用上等における振動によって、モータの取付状態がずれたり外れたりして、適正な制御が行なえなくなるという問題点がある。そこで、上記のように、従来は、回転子を間にした一方の側をビスで螺止し、他方側をフック部で係止していたが、出来ればビスを全く用いないで済むようにすることが要求されている。また、上記の従来構成において、他方側をフック部で係止する理由は、一方の側をビスで螺止するだけでは、他方側が地板面から浮き上がってしまうからであるが、ビスを一つ使用するのは止むを得ないとしても、そのようにする以上は他方側をフック部によって係止しなくて済むようにすることが要求されている。
【０００６】
本発明は、このような問題点を解決するためになされたものであり、その目的とするところは、二つの地板の間の収容室内に配置されている絞り羽根，シャッタ羽根，フィルタ等の露光量制御手段と、収容室外で地板の一方に取り付けられているモータとを連結するために、モータを取り付けた地板に長孔が形成されているにもかかわらず、サポート手段を設けるだけで、その長孔から収容室内に塵埃が進入するのを防止できると共に、如何なる場合でもモータの取付状態を常に好適に維持することができ、且つ装置ユニットでの運搬や取扱中に、構成部材の変形などによって機能が損なわれないようにした低コストのカメラ用露光量制御装置を提供することである。
【０００７】
【課題を解決するための手段】
上記の目的を達成するために、本発明のカメラ用露光量制御装置は、両者の間に収容室を構成しており重ねて配置された各々の開口部の少なくとも一方によって撮影光路を規制している二つの地板と、前記収容室内において前記撮影光路に進退可能に配置されている露光量制御手段と、前記収容室外に配置されており回転子と一体であって固定子に設けられた長孔から該回転子の径方向に延伸した腕部がその先端に設けた駆動ピンを前記二つの地板の一方に設けられた長孔から前記収容室内に挿入し前記露光量制御手段を駆動するモータと、前記収容室外において前記二つの地板の一方に対し前記回転子の回転軸を垂直にして前記モータを取り付ける取付手段と、前記二つの地板のいずれか一方に取り付けられており前記固定子外での前記腕部の作動領域を覆うと共に前記取付手段による前記モータの取付状態を補助的に維持させるサポート手段と、を備えているようにする。
【０００８】
その場合、前記モータが、被係止部を有しており、前記取付手段が、前記モータを取り付ける地板に設けられていて前記被係止部を係止する少なくとも一つの可撓性を有するフック部であり、前記サポート手段が、前記フック部が前記係止を外す方向へ撓むのを抑止する部材であるようにしてもよいし、また、前記モータが、前記回転子の径方向に一つの孔を有しており、前記取付手段が、前記孔に挿入して前記モータを前記地板の一方に螺止するねじであり、前記サポート手段が、前記回転子を間にして少なくとも前記螺止位置の反対側で前記モータが前記モータを取り付けている地板から浮き上がるのを抑止する部材であるようにしてもよい。
【０００９】
【発明の実施の形態】
本発明の実施の形態を、二つの実施例によって説明する。尚、図１は第１実施例の正面図であり、図２は図１の下方から見て要部を断面で示した底面図である。また、図３は第２実施例の正面図であり、図４は図３の下方から見た底面図であり、図５は図３の下方から見て要部を断面で示した底面図である。
【００１０】
［第１実施例］
本実施例は、ＮＤフィルタによって露光量を制御するフィルタ装置として構成されたものである。そこで、先ず、本実施例の構成を説明する。主地板１と補助地板２は合成樹脂製であって、平面的な外形形状は略同じである。図１において、主地板１は、略中央部に長方形をした開口部１ａを有し、右下方部には円弧状の長孔１ｂを有している。また、補助地板２は、開口部１ａと重なる位置に、撮影光路を規制するための円形をした開口部２ａを有していてる。そして、主地板１と補助地板２とは、図１において主地板１の上方部に形成されている二つのフック部１ｃ，１ｄの先端を補助地板２の縁に掛け、両者の下方部を、ビス３により、補助地板２側から螺止することによって相互に取り付けられ、両者の間に収容室を構成している。
【００１１】
尚、本実施例の場合には、開口部２ａが撮影光路を規制するようにしているが、開口部１ａを開口部２ａより直径の小さな円形とし、撮影光路を規制するようにしてもよいし、開口部２ａと同じ直径にして両者によって撮影光路を規制するようにしてもよいことは言うまでもない。また、実際には、主地板１と補助地板２には、カメラに対する取付部が設けられているが、その図示が省略されている。更に、図示していないが、収容室の外側には、各々レンズを取り付けた二つの鏡胴が配置されていて、一方の鏡胴は、開口部２ａの周囲の面に密接させられており、他方の鏡胴は、開口部１ａの周囲の面に密接させられている。
【００１２】
そこで、次に、収容室内の構成を説明する。収容室内には、フィルタ取付部材４が配置されており、そのフィルタ取付部材４には、野球のホームベース状をした凹部４ａと、三つの直線状の長孔４ｂ，４ｃ，４ｄとが形成されている。そして、その凹部４ａを覆うようにして、羽子板状をしたＮＤフィルタ５（×印を付けてある）が、接着剤で取り付けられている。また、フィルタ取付部材４は、長孔４ｂ，４ｃを、主地板１に設けられたガイドピン１ｅ，１ｆに嵌合させ、図１において上下方向へ移動可能になっており、その上限位置と下限位置を、ガイドピン１ｅ，１ｆによって規制されるようになっている。
【００１３】
次に、図１において主地板１の表面側（即ち、図２における上面側）に取り付けられている部材の構成を説明する。先ず、モータ６は、特開２０００−６００８８号公報などに記載のムービングマグネット型モータと称されている電流制御式のモータである。しかしながら、上記の公報に記載のものとは、若干異なるところがあるので、一応、その構成を説明しておく。このモータ６の固定子は、カップ状をした上枠６ａと下枠６ｂとを合わせて中空室を構成し、その外側にコイル６ｃを巻回して上枠６ａと下枠６ｂとを一体にした後、その外側に円筒形のヨーク６ｄを嵌め合わせている。そして、図示していないが、本実施例の場合には、このような構成の固定子にホール素子が取り付けられている。
【００１４】
また、上枠６ａと下枠６ｂとの間に構成された中空室には、永久磁石製の回転子６ｅが、その回転軸を主地板１に対して垂直となるようにして軸受けされており、回転子６ｅから径方向に延伸した腕部６ｆは、下枠６ｂから外部へ突き出され、その先端に設けられた駆動ピン６ｇは、上記の円弧状の長孔１ｂを貫通し、収容室内においてフィルタ取付部材４の長孔４ｄに嵌合している。そのため、明示されていないが、下枠６ｂには、回転子６ｅの回転によって腕部６ｆが作動し得るようにするために、所定の角度範囲にわたって長孔が形成されている。そして、その長孔は、周知のように、上枠６ａと下枠６ｂとの形状次第によって、上枠６ａに形成されることもあるし、上枠６ａと下枠６ｂとの両者によって形成されることもある。尚、周知のことではあるが、上記の腕部６ｆと駆動ピン６ｇは、予め回転子６ｅとは別部材として製作しておき、回転子６ｅに対して組み付ける場合と、合成樹脂材料による所謂アウトサート加工によって回転子６ｅと一体的に成形する場合と、プラスチックマグネット材料によって回転子６ｅと一緒に同時一体成形される場合とがある。
【００１５】
次に、主地板１に対するモータ６の取付構成を説明する。図２から分かるように、モータ６の下枠６ｂには、その下面に二つの位置決め用のピン６ｈ，６ｉが設けられていて、主地板１に設けられた夫々の孔に嵌合させている。それにより、モータ６は、径方向への移動と回転が行なえないようになっている。また、下枠６ｂには、窪み状の二つの被係止部６ｊ、６ｋが設けられていて、主地板１に設けられた夫々のフック部１ｇ、１ｈによって係止され、図２の上方への移動を阻止されている。従って、この取付構成からも分かるように、フック部１ｇ，１ｈは可撓性を有していて、図２において、フック部１ｇの先端は反時計方向へ、フック部１ｈの先端は時計方向へ変位し得るようになっている。
【００１６】
ところで、これまで説明をした構成は、収容室を薄型化しレンズ近傍位置への設置が行ない易くなっている点や、ビスを用いないでモータを取り付けている点で優れたものにはなっている。しかしながら、実際には、このほかにも考慮しておかなければならない点がある。即ち、主地板１には長孔１ｂが形成されていることから、カメラの外部から進入してきたり、カメラ内の部材から発生した塵埃が、収容室内に進入してしまい、ＮＤフィルタ５の表面に付着したり、収容室につながる鏡胴内でレンズの表面に付着したりして、個々の塵埃は微細であっても長期にわたって蓄積されると問題となってしまうようになる。そして、その塵埃が比較的大きい場合には、後述するフィルタ取付部材４の作動がスムースに行えなくなってしまうこともある。
【００１７】
また、上記の構成では、モータ６が比較的スタンダードな構成のムービングマグネット型モータであるということもあり、回転子６ｅと一体の腕部６ｆが所期の作動を行なえるようにするために、下枠６ｂの周面には所定の角度範囲にわたって図示していない長孔が形成されている。そのため、上記のような塵埃が、その窓から中空室内に侵入すると、軸受け部などに付着し、長い間には回転子６ｅの回転がスムースに行なわれなくなる場合が生じていまう。
【００１８】
更に、上記の構成では、モータ６が主地板１から離脱するのを、二つのフック部１ｇ，１ｈで阻止している。そして、それらのフック部１ｇ，１ｈは、組立上、可撓性を有していることが必須である。しかも、この種のモータ６の固定子の外径は、実際には１０ｍｍ程度であり、フック部１ｇ，１ｈの長さもそれなりに短いから、組立の作業性を考えると、比較的柔軟性の大きなものにせざるを得ないということがある。そのため、運搬上，取扱上等において強い振動を受けると、モータの取付状態がずれたり外れたりする虞があし、腕部６ｆや駆動ピン６ｇの一部が露出しているので、生産中や輸送中に、それらが押されたり引っ掛けられたりして、変形させられてしまう虞もある。
【００１９】
そこで、それらの全ての問題点を解消するために、本実施例の場合には、上記のようにして主地板１にモータ６を取り付けた後、合成樹脂製のサポート部材７を、主地板１に取り付けている。即ち、図１に示されているように、このサポート部材７は、先ず、主地板１に設けられたピン１ｉ，１ｊに二つの孔を嵌合させて位置決めされ、その上で、主地板１に設けられた可撓性のある二つのフック部１ｋ，１ｍによって掛け止めされている。
【００２０】
そして、サポート部材７をこのように取り付けたことにより、下枠６ｂから突き出た腕部６ｆと駆動ピン６ｇの作動領域は略完全にカバーされ、且つ円弧状の長孔１ｂや、下枠６ｂの上記の長孔が覆われた状態になっているため、フィルタ取付部材４の収容室や回転子６ｅを配置している中空室には、問題となるような塵埃の進入が防がれるし、上記したような外部要因によって腕部６ｆが変形させられ、所定の機能が得られなくなるようなことがない。また、図２からも分かるように、サポート部材７の抑止部７ａは、フック部１ｈが被係止部６ｋから外れる方向へ撓むのを抑止しているため、モータ６の取付状態がずれたり外れたりすることがない。尚、サポート部材７を大きくして、他方のフック部１ｇに対する抑止部を形成するようにすれば一層好適なものとなる。また、本実施例においては、サポート部材７が、主地板１の開口部１ａの一部までもカバーする形状をしているが、それは、本発明とは関係がないので、そのような形状にすることは必須ではない。
【００２１】
次に、本実施例の作動を説明するが、先ず、本実施例のフィルタ装置が、ビデオカメラに採用された場合の説明をする。図１においては、フィルタ取付部材４が下限位置にあり、ＮＤフィルタ５は、開口部２ａを覆っていない。撮影に際して電源がオンになると、モータ６のコイル６ｃに対し正方向の通電がなされ、回転子６ｅは反時計方向へ回転させられる。そのため、フィルタ取付部材４は上昇を開始し、ＮＤフィルタ５を開口部２ａに進入させ、撮影光量を減じていく。そして、図示していないホール素子（位置検出素子）により、回転子６が所定の光量制御位置に達したことを検出すると、以後は、周知のようにコイル６ｃに対する電流値や通電方向を制御して、見かけ上はフィルタ取付部材４が停止状態となっているようにする。
【００２２】
また、撮影中に被写界の明るさが変化すると、暗くなるように変化した場合には、コイル６ｃに対して、所定の光量制御位置に達するまで逆方向の通電をし、反対に、明るくなるように変化した場合には所定の光量制御位置に達するまで正方向の通電をする。そして、いずれの場合にも、所定の光量制御位置に達した後は、上記と同じようにしてその状態が維持されるようにする。また、撮影を終了させるときには、その信号によって、コイル６ｃに対し、連続的に逆方向の通電が行なわれ、回転子６ｅが図１の状態になったことをホール素子が検出すると、その通電が断たれることになる。尚、本実施例の場合は、コイル６ｃが一組であるが、周知のように、コイルを二組設けておき、一方のコイルには、回転子６ｅを一方の方向に回転させる通電だけを行い、他方のコイルには、逆方向に回転させる通電だけを行うようにしてもよい。
【００２３】
次に、銀塩カメラやデジタルスチルカメラに採用された場合を説明する。撮影に際して、レリーズボタンが押されると、実際の撮影が行なわれる前に、先ず測光結果に基づいて光量調整が行なわれる。そして、被写界光量を減じないで撮影する場合には、コイル６ｃに対し逆方向の通電がなされ、回転子６ｅに時計方向へ回転する力を付与して、図１の状態が確実に保てるようにする。但し、周知のように、固定子に磁性体部材が設けられていて、永久磁石製の回転子６ｅとの間に働く吸引力によって、図１の状態が保たれるように構成されている場合は、このような逆方向の通電は必要ない。そして、このような状態が確実に保てるようにしておいてから、実質上の撮影が行なわれ、撮影が終了すると、コイル６ｃに対する逆方向の通電を断つようにする。
【００２４】
また、測光結果に基づき、被写界光量を減じて撮影する場合には、コイル６ｃに対して正方向へ通電し、回転子６ｅに反時計方向へ回転する力を付与する。そのため、フィルタ取付部材４は、上昇して上限位置で停止させられ、ＮＤフィルタ５が開口部２ａを完全に覆った状態になる。その後、実際の撮影が行なわれることになるが、上記のように、固定子に磁性体部材が設けられていて、回転子６ｅとの間に働く吸引力によって、回転子６ｅに反時計方向へ回転する力が付与されているように構成されていれば、その撮影中、コイル６ｃに対する正方向の通電を断つことが可能になる。そして、撮影が終了すると、コイル６ｃに対して逆方向の通電をし、図１の状態に復帰したとき、その逆方向の通電を断つようにする。このような作動説明からも分かるように、銀塩カメラやデジタルスチルカメラに採用する場合には、必ずしも上記のホール素子は必要でない。
【００２５】
尚、本実施例においては、フィルタ取付部材４が、直線的に往復作動するように構成されているが、ＮＤフィルタを撮影光路に進退させる装置の構成としては、ＮＤフィルタを取り付けている部材をモータによって往復回転させるようにしたものも知られている。本発明は、そのような構成の露光量制御装置にも適用される。
【００２６】
また、銀塩カメラやデジタルスチルカメラの場合には、本実施例を絞り装置に変形させて採用することが可能である。即ち、絞り装置の中には、絞り部材に小口径の開口部を形成しておき、その小口径の開口部を、撮影光路用の開口部（２ａ）に進退させるタイプのものが知られているが、本実施例をそのようなタイプの絞り装置にする場合は、本実施例におけるフィルタ取付部材４とＮＤフィルタ５とを、そのような絞り部材にするだけでよいことになる。更に、本実施例におけるフィルタ取付部材４とＮＤフィルタ５を、１枚の遮光性を有する板部材（シャッタ羽根）に構成すれば、シャッタ装置として採用することも可能になる。そして、そのように変形して構成した絞り装置やシャッタ装置も本発明に含まれ、且つ、それらの場合における絞り部材や遮光性の板部材（シャッタ羽根）を、往復回転させるように構成したものも本発明に含まれる。
【００２７】
［第２実施例］
次に、図３〜図５を用いて第２実施例を説明するが、本実施例は、シャッタ装置として構成されたものである。シャッタ装置も、露光時間を制御するために設けられている限りにおいては、露光量制御装置である。そこで、先ず、その構成を説明することにするが、本実施例の構成は、全体としては、第１実施例の構成と類似したところが多い。そのため、上記の第１実施例の説明から容易に理解することができると思われることについては簡単に説明する。
【００２８】
本実施例の主地板１１と補助地板１２は、合成樹脂製であって、略同じ外形形状をしている。図３に示すように、主地板１１は、略中央部に正方形をした開口部１１ａを有し、下方部には円弧状の長孔１１ｂ，１１ｃを有しており、補助地板１２は、撮影光路を規制する開口部１２ａを有していてる。また、補助地板１２は、図３における上方部が主地板１１のフック部１１ｄに掛け止めされ、図３における下方部は、主地板１１と共に、後述するサポート部材１７に設けられた可撓性を有する二つのフック部１７ａ，１７ｂに掛け止めされている。そして、主地板１１と補助地板１２の間には、収容室を構成している。
【００２９】
尚、本実施例の場合にも、カメラに対する取付部の図示が省略されている。また、本実施例のシャッタ装置は、通常、ビトウィーンズ・ザ・レンズシャッタとして構成されるので、カメラに組み込まれたときには、収容室の外側には、開口部１１ａ，１２ａを塞ぐようにして図示していない鏡胴が配置されるようになっている。
【００３０】
そこで、収容室内の構成を説明する。収容室内には、相対的に作動する２枚のシャッタ羽根１３，１４が、それらの一部を重ねて配置されている。そして、主地板１１側に配置されているシャッタ羽根１３は、直線状の長孔１３ａ，１３ｂ，１３ｃを有していて、それらのうち長孔１３ａ，１３ｂを、主地板１１に設けられたガイドピン１１ｅ，１１ｆに嵌合させている。また、もう一方のシャッタ羽根１４は、直線状の長孔１４ａ，１４ｂ，１４ｃを有していて、それらのうち長孔１４ａ，１４ｂを、主地板１１に設けられたガイドピン１１ｇ，１１ｈに嵌合させている。
【００３１】
次に、図３において主地板１１の表面側（即ち、図４，図５における上面側）に取り付けられている部材の構成を説明する。先ず、モータ１６はムービングマグネット型モータであるが、その構成は、第１実施例におけるモータ６の構成と若干異なっている。先ず、固定子は、上枠１６ａと下枠１６ｂとによって中空室を構成し、それらの外側にコイル１６ｃを巻回した後、その外側に円筒形のヨーク１６ｄを嵌め合わせている。そして、下枠１６ｂには三つの張出部１６ｂ−１，１６ｂ−２，１６ｂ−３が形成されている。また、本実施例の固定子には、第１実施例の作動説明で述べた周知の棒状をした磁性体部材（鉄ピンとも称される）１５が埋め込まれている。尚、本実施例の固定子には、ホール素子は設けられていない。
【００３２】
また、上記の中空室には、２極に着磁された永久磁石製の回転子１６ｅが軸受けされているが、図３においては磁極の境界線を一点鎖線で示している。この回転子１６ｅは径方向に対称的に延伸した二つの腕部１６ｆ，１６ｇを有しており、それらの腕部１６ｆ，１６ｇは、下枠１６ｂに設けられた図示していない夫々の窓から外部へ突き出されていて、それらの先端に設けられている駆動ピン１６ｈ，１６ｉは、上記の円弧状の長孔１１ｂ，１１ｃを貫通し、収容室内においてシャッタ羽根１３，１４の長孔１３ｃ，１４ｃに嵌合している。尚、下枠１６ｂに設けられている上記の二つの長孔は、第１実施例で説明した長孔と同様に、所定に角度範囲にわたって形成されており、上枠１６ａと下枠１６ｂとの形状次第では、上枠１６ａに形成されることもあるし、上枠１６ａと下枠１６ｂとの両者によって形成されることもある。また、二つの腕部１６ｆ，１６ｇと駆動ピン１６ｈ，１６ｉは、第１実施例における腕部６ｆと駆動ピン６ｇの場合と同様に、三つの方法のいずれかによって製作されている。
【００３３】
次に、主地板１１に対するモータ１６の取付構成を説明する。本実施例の場合は、下枠１６ｂの下面に設けた二つの位置決め用のピン１６ｊ，１６ｋ（図５参照）を主地板１１に設けられた夫々の孔に嵌合させておき、下枠１６ｂの張出部１６ｂ−３をビス１８によって主地板１１に螺止している。このようにすると、第１実施例のように主地板に複数のフック部を設ける必要がなく、ビスも１個だけで済むことになる。
【００３４】
ところが、これだけの取付構成では、この種のモータが極めて小型であって、張出部１６ｂ−３も実際には薄いことから、製作直後は問題がなかったとしても、いずれは、図３における張出部１６ｂ−１側が主地板１１から浮き上がってしまう虞がある。また、第１実施例の場合と同様に、塵埃が長孔１１ｂ，１１ｃから収容室内に進入して、やがてレンズの表面に付着してしまうことがある。更に、塵埃が、モータ１６の下枠１６ｂに設けられた図示していない二つの長孔から中空室内に侵入し、回転子１６ｅがスムースに回転しなくなることがある。また、腕部１６ｆ，１６ｇや駆動ピン１６ｈ，１６ｉの一部が露出しているので、変形などをさせられてしまう虞もある。
【００３５】
そこで、それらの問題点を解消するために、本実施例の場合には、合成樹脂製のサポート部材１７を設けている。そして、そのサポート部材１７は、略中央部に形成された円形の孔にヨーク１６ｄをくぐらせた状態にしておき、左右両端に設けられた可撓性を有するフック部１７ａ，１７ｂを、補助地板１２に掛けている。従って、この取付構成は、サポート部材１７を主地板１１に取り付けることと、補助地板１２を主地板１１に取り付けることとを、同時に可能としたものである。
【００３６】
そして、このようにしてサポート部材１７を取り付けたことにより、下枠１６ｂから突き出て露出していた腕部１６ｆ，１６ｇの作動領域は略完全にカバーされ、且つ円弧状の二つの長孔１１ｂ，１１ｃや下枠１６ｂに形成されている上記の二つの長孔が覆われた状態になっている。そのため、シャッタ羽根１３，１４を配置している収容室や、回転子１６ｅを配置している中空室には、問題となるような塵埃は進入しないし、腕部１６ｆ，１６ｇなどが変形させられる虞もない。また、図３及び図４から分かるように、サポート部材１７の周囲に形成されている外壁１７ｃの一部が３箇所で切除されていて、その切断面が、下枠１６ｂの張出部１６ｂ−１，１６ｂ−２，１６ｂ−３に接するようになっているので、張出部１６ｂ−１，１６ｂ−２に接する切断面が抑止部となって、下枠１６ｂ（即ち、モータ１６）が、ビス１８による取付部を支点にして主地板１１から浮き上がるようなことはない。
【００３７】
次に、本実施例の作動を説明する。本実施例のシャッタ装置は、ノーマルオープン方式としたデジタルスチルカメラ用シャッタ装置としても、ノーマルクローズ方式としたデジタルスチルカメラ用シャッタ装置としても、銀塩カメラ用シャッタ装置としても、ビデオカメラの１コマ撮影用シャッタ装置としても採用することができるものである。しかしながら、それらの全ての場合について作動説明をする必要がないので、デジタルスチルカメラに採用され、ノーマルオープン方式として作動させる場合について説明する。
【００３８】
図３は、カメラの電源がオフになっている状態である。そのため、モータ１６のコイル１６ｃは非通電状態である。しかしながら、それでも、回転子１６ｅは、この回転位置を維持できるようになっている。即ち、図３の状態においては、固定子に取り付けられている磁性体部材１５が、回転子１６ｅの２極の境界線に近いところでＮ極の周面に対向している。そのため、回転子１６ｅには、Ｎ極と磁性体部材１５との間に作用する吸引力によって時計方向へ回転する力が付与されている。図３は、その回転を、駆動ピン１６ｈ，１６ｉが長孔１１ｂ，１１ｃの端面に接触して阻止されている状態を示したものである。従って、回転子１６ｅは、この回転位置を好適に維持されている。
【００３９】
この図３の状態において、カメラの電源スイッチをオンにすると、モニターの使用が可能になって被写界の観察をすることができるようになる。そのとき、モータ１６のコイル１６ｃは、原則として非通電状態のままである。次に、撮影に際して、レリーズボタンを押すと、フィルタ装置か絞り装置がカメラに内蔵されている場合は、実際の撮影が行なわれる前に、測光結果に基づいて先ずそれらの装置が作動させられ、そのあとに、固体撮像素子に対する電気信号によって撮影が開始する。
【００４０】
その後、露光量制御回路から露光量制御時間の終了信号が出力されると、モータ１６のコイル１６ｃに対して正方向の通電が行なわれ、回転子１６ｅは反時計方向へ回転する。そのため、図３において、シャッタ羽根１３は下降しシャッタ羽根１４は上昇して開口部１２ａを閉鎖し撮影が終了するが、シャッタ羽根１３，１４は、開口部１２ａを閉鎖した直後に、モータ１６の駆動ピン１６ｈ，１６ｉが長孔１１ｂ，１１ｃの端部に当接することによって停止させられる。そして、この閉鎖状態において、撮像情報が記憶装置に転送されるが、その間、モータ１６のコイル１６ｃに対して正方向の通電を続けている。しかしながら、本実施例の場合には、その通電を断っても閉鎖状態が確実に維持されるようになっている。即ち、その閉鎖状態においては、固定子に取り付けられている磁性体部材１５が、回転子１６ｅの２極の境界線に近いところでＳ極の周面に対向していることになる。そのため、回転子１６ｅには、Ｓ極と磁性体部材１５との間に作用する吸引力によって反時計方向へ回転する力が付与されているからである。
【００４１】
このように、閉鎖状態において撮像情報が記憶装置に転送されると、今度は、モータ１６のコイル１６ｃに対して逆方向の通電が行なわれ、回転子１６ｅは時計方向へ回転する。そのため、図３において、シャッタ羽根１３は上昇しシャッタ羽根１４は下降して開口部１２ａを開いていく。そして、シャッタ羽根１３，１４の開き作動は、開口部１２ａを全開にした直後に、モータ１６の駆動ピン１６ｈ，１６ｉが長孔１１ｂ，１１ｃの端部に当接することによって停止させられる。その後、コイル１６ｃに対する逆方向の通電が断たれ、次の撮影にそなえることになる。
【００４２】
このような本実施例のシャッタ装置は、第１実施例のようにモータ１６にホール素子を設ければ、複数の絞り値を設定できる絞り装置として機能させることもできるし、シャッタ羽根を開き作動の途中から閉じ得るようにしたシャッタ装置として機能させることも可能である。そのため、本発明には、そのようにした絞り装置やシャッタ装置も含まれる。
【００４３】
尚、上記の各実施例は、いずれも、駆動手段としてムービングマグネット型モータを採用しているが、本発明は、その種のモータには限定されず、ステップモータを採用してもよい。そして、ステップモータを採用した場合には、上記の各実施例の説明において、場合によっては必要であるとされていたホール素子などの位置検出素子が、必ずしも必要でなくなる。また、上記の各実施例においては、駆動ピンが回転子と一体的に構成されているが、回転子に連動して往復作動をさせられる部材（開閉レバーなどと称されている）と一体的に構成しても差し支えない。
【００４４】
【発明の効果】
以上のように、本発明によれば、収容室内に配置されている絞り羽根，シャッタ羽根，フィルタ等の露光量制御手段を、収容室外で地板に取り付けられているモータが駆動するようにした露光量制御装置において、サポート手段を設けることによって、露光量制御手段とモータとを連結するために設けられている孔から塵埃が収容室などに進入するのを防止することができると共に、地板に対するモータの取り付けが低コストで確実に行なえるし、腕部などの変形によって回転子と露光量制御手段との間の伝達機能が損なわれてしまうようなこともないという利点がある。
【図面の簡単な説明】
【図１】第１実施例の正面図である。
【図２】図１の下方から見て要部を断面で示した底面図である。
【図３】第２実施例の正面図である。
【図４】図３の下方から見た底面図である。
【図５】図３の下方から見て要部を断面で示した底面図である。
【符号の説明】
１，１１　　　　　　　　　　　主地板
１ａ，２ａ，１１ａ，１２ａ　　開口部
１ｂ，４ｂ，４ｃ，４ｄ，１１ｂ，１１ｃ，１３ａ，１３ｂ，１３ｃ，１４ａ，１４ｂ，１４ｃ　長孔
１ｃ，１ｄ，１ｇ，１ｈ，１ｋ，１ｍ，１１ｄ，１７ａ，１７ｂ　フック部
１ｅ，１ｆ，１１ｅ，１１ｆ，１１ｇ，１１ｈ　ガイドピン
１ｉ，１ｊ，６ｈ，６ｉ，１６ｊ，１６ｋ　ピン
２，１２　　　　　　　　　　　補助地板
３，１８　　　　　　　　　　　ビス
４　　　　　　　　　　　　　　フィルタ取付部材
４ａ　　　　　　　　　　　　　凹部
５　　　　　　　　　　　　　　ＮＤフィルタ
６，１６　　　　　　　　　　　モータ
６ａ，１６ａ　　　　　　　　　上枠
６ｂ，１６ｂ　　　　　　　　　下枠
６ｃ，１６ｃ　　　　　　　　　コイル
６ｄ，１６ｄ　　　　　　　　　ヨーク
６ｅ，１６ｅ　　　　　　　　　回転子
６ｆ，１６ｆ，１６ｇ　　　　　腕部
６ｇ，１６ｈ，１６ｉ　　　　　駆動ピン
６ｊ，６ｋ　　　　　　　　　　被係止部
７，１７　　　　　　　　　　　サポート部材
７ａ　　　　　　　　　　　　　抑止部
１３，１４　　　　　　　　　　シャッタ羽根
１５　　　　　　　　　　　　　磁性体部材
１６ｂ−１，１６ｂ−２，１６ｂ−３　張出部
１７ｃ　　　　　　　　　　　　外壁
【図１】
2004093874.tif 000003
【図２】
2004093874.tif 000004
【図３】
2004093874.tif 000005
【図４】
2004093874.tif 000006
【図５】
2004093874.tif 000007